(57)【要約】【課題】遊技者を飽きさせず、遊技の興趣を増大させることができる遊技機を提供する。【解決手段】  センター役物１０に、センター役物１０内に入球した遊技球Ｂを誘導して上方に流出させるガイド部２１を備え、遊技球Ｂがガイド部２１から上方に流出する遊技球出口部２２に回動自在な戻り防止板２３を設け、戻り防止板２３を、ガイド部２１に沿って誘導され戻り防止板２３下方から戻り防止板２３に衝突する遊技球Ｂに対しては回動可能とし、戻り防止板２３上方から戻り防止板２３に衝突する遊技球Ｂに対しては下方に回動不可能とする。【選択図】        図４
2006305050.tif 000002
【特許請求の範囲】
【請求項１】
ステージと、
前記ステージに設けられ、遊技球入口部から入球した遊技球を誘導して遊技球出口部から上方に流出させる球通路を備えるガイド部と、
前記球通路の遊技球出口部を塞ぐように配置されて前記ステージの一部を構成する板部材と、を備え、
前記遊技球出口部に誘導され前記板部材の下方から前記板部材に衝突する遊技球に対しては前記板部材が上方に回動し、
前記板部材上方から前記板部材に衝突する遊技球に対しては前記板部材の下方への回動を不可能とする阻止部材を備えることを特徴とする遊技機の役物。
【請求項２】
前記ステージが、
前記ガイド部を有する下ステージと、
前記板部材の一部により、前記ガイド部から上方に流出した遊技球が誘導される上ステージと、
から構成される請求項１に記載の遊技機の役物。
【請求項３】
前記下ステージを、遊技者が視認し難く又は不可能になるようにカバー部材で覆う請求項１または２に記載の遊技機の役物。
【請求項４】
前記ガイド部に前記阻止部材であるストッパーを設けることによって、前記板部材の上方から前記板部材に衝突する遊技球に対して前記板部材が下方に回動不可能となる請求項１ないし３のいずれか１つに記載の遊技機の役物。
【発明の詳細な説明】
【技術分野】
【０００１】
本発明は、ステージを備える遊技機の役物に関する。
【背景技術】
【０００２】
従来、特許文献１に記載の発明のように、遊技盤に備えた役物のステージ部に、この役物内に流入してきた遊技球が宙返りできるよう宙返りガイド部を設けているパチンコ機がある。このパチンコ機においては、役物内に流入した遊技球は、宙返りガイド部によって宙返りをし、その後、着地して揺動した後に複数のいずれかの方向に流出し、ステージ部上から落下する。落下した遊技球が始動入賞口に入賞すると、表示部における図柄が変動表示された後に静止表示され、その静止表示された図柄が「当たり」の図柄の場合には、大入賞口が所定回数開くようにされている。
【特許文献１】特開２００１−２９５６９号公報
【発明の開示】
【発明が解決しようとする課題】
【０００３】
しかしながら、特許文献１では、センター役物内に流入した遊技球は、宙返りガイド部によって遊技球が宙返り等するのみであって、遊技球の挙動に対する遊技者の驚きは少なく、ひいては遊技者を飽きさせるという課題がある。
【０００４】
本発明は上記に鑑みてなされたもので、遊技者を飽きさせず、遊技の興趣を増大させることができる遊技機の役物を提供することを目的とする。
【課題を解決するための手段】
【０００５】
上記目的を達成するため、請求項１に記載の遊技機の役物は、ステージと、前記ステージに設けられ、遊技球入口部から入球した遊技球を誘導して遊技球出口部から上方に流出させる球通路を備えるガイド部と、前記球通路の遊技球出口部を塞ぐように配置されて前記ステージの一部を構成する板部材と、を備え、前記遊技球出口部に誘導され前記板部材下方から前記板部材に衝突する遊技球に対しては前記板部材が上方に回動し、前記板部材上方から前記板部材に衝突する遊技球に対しては前記板部材の下方への回動を阻止する阻止部材を備える。これにより、ガイド部に沿って誘導された遊技球は、ガイド部の遊技球出口部から流出することはできるが、該流出した遊技球は該遊技球出口部からガイド部に入球することができないように作用する。
【０００６】
ここで、「役物」とは、いわゆるセンター役物に限らず、その他の役物であってもよい。「上方に流出させる」とは、鉛直上方向への流出に限られず、水平方向よりも上方向への流出であればよい。前記板部材の回動中心の位置は遊技球が板部材と衝突する位置とは距離のある位置が好ましく、例えばガイド部の遊技球出口部末端部と対向する側が挙げられる。「回動」とは、板部材が回転する場合に限らず、板部材の一部が、遊技球が衝突していないときの板部材の設置された位置から離れるような動きであればよい。
【０００７】
請求項２に記載の遊技機の役物は、前記ステージが、前記ガイド部を有する下ステージと、前記板部材の一部により、前記ガイド部から上方に流出した遊技球が誘導される上ステージと、から構成される。
【０００８】
ここで、上ステージと下ステージとは別体の部材であっても一体でもよく、また複数であってもよい。「上方に流出した」とは、請求項１と同様に、鉛直上方向への流出に限られず、水平方向よりも上方向への流出であればよい。「板部材を一部の構成部材とし」とは、板部材の一部分でも上ステージの表面上にあればよい趣旨である。
【０００９】
請求項３に記載の遊技機の役物は、前記下ステージを、遊技者が視認し難く又は不可能になるようにカバー部材で覆う。
【００１０】
ここで、「覆う」とは、遊技者が下ステージを視認し難く又は不可能になればよく、例えば下ステージを光が透過しない部材でカバーすること等が挙げられる。また、該覆う箇所は下ステージの全部でもよいし一部のみであってもよい。
【００１１】
請求項４に記載の遊技機の役物は、前記ガイド部に前記阻止部材であるストッパーを設けることによって、前記板部材上方から前記板部材に衝突する遊技球に対して前記板部材が回動不可能となる。
【００１２】
「ストッパー」とは、板部材の下方に位置し、板部材を支持するものであれば、上ステージ又は下ステージの一部であってもよい。
【００１３】
前記役物の前記板部材が、長手方向に延長する水平部と、該水平部と接続しその形状が変形された曲がり部とを備えることが好ましい。
【００１４】
前記役物の前記板部材の前記曲がり部が段部を構成し、遊技球が衝突すると前記板部材が弾性変形した後、元の位置に復帰することが好ましい。
【００１５】
前記役物は、ステージに差し込むピンを備え、前記板部材が前記ピンを係止する湾曲又は折り曲げられた前記曲がり部を備え、遊技球が下方から衝突すると前記ピンの回りを前記板部材が回動した後、元の位置に復帰することが好ましい。
【発明の効果】
【００１６】
請求項１の発明によれば、回動自在な板部材を設け、該板部材は、ガイド部に沿って誘導され板部材下方から板部材に衝突する遊技球に対しては回動可能となり、板部材上方から板部材に衝突する遊技球に対しては下方に回動不可能となる構成としたため、役物内での遊技球の動きに興趣溢れる変化を与えることができ、遊技者を飽きさせず、遊技の興趣を増大させることができる。
【００１７】
請求項２の発明によれば、役物に、ガイド部を有する下ステージと、前記板部材をその床の一部とし、ガイド部から上方に流出した遊技球が導かれる上ステージとを備える構成としたため、ステージにおける遊技球の動きを遊技者により楽しませることができ、ステージの興趣を増大させることができる。
【００１８】
請求項３の発明によれば、下ステージを遊技者が視認し難くなるように覆う構成としたため、下ステージを移動している遊技球の動きを遊技者が視認し難くなり、ガイド部からの遊技球の飛び出しによって遊技者に驚きを与えることができる。例えば、役物内に入球した遊技球が、該遊技球の入球位置と反対位置に配置されているガイド部の遊技球出口部から流出する構成とした場合には、入球した遊技球があたかも役物内の反対側の位置から出てくように見え、遊技の興趣を向上させることができる。
【００１９】
請求項４の発明によれば、ガイド部にストッパーを設けることによって、前記板部材の上方から板部材に衝突する遊技球に対して板部材が下方に回動不可能となるように構成したため、請求項１の効果をより確実に発揮することができる。
【発明を実施するための最良の形態】
【００２０】
以下に、本発明の好適な実施形態について図面を参照して説明する。尚、本発明の実施の形態は、下記の各実施形態に何ら限定されるものではなく、本発明の技術的範囲に属する限り種々の形態を採り得ることは無論である。
【００２１】
（実施形態１）
実施形態１のパチンコ遊技機１は、図１に示す通り、前面枠２、機枠３、操作ハンドル４、上皿５、下皿６、遊技盤７、板ガラス８、電飾装置９、センター役物１０等からなり、センター役物１０は遊技盤７のほぼ中央に配置されている。また、センター役物１０の下方には始動入賞口１１、その下方には大入賞口１２が設けられ、遊技盤７の前面には外レール１３と内レール１４によって囲まれた略円形の遊技領域１５が形成されている。
【００２２】
そして、遊技者が操作ハンドル４を操作することによって発射された遊技球は、外レール１３と内レール１４の間を通過し、遊技領域１５へと導かれる。なお、図示されていない遊技釘が遊技領域１５の各所に植設されている。
【００２３】
図２（ａ），（ｂ）及び図３に示す通り、センター役物１０は、奥面に画像を表示する表示部１６、表示部１６の下方にセンター役物１０に入球した遊技球Ｂが転動できる上ステージ１７、さらに上ステージ１７の下方及びセンター役物１０周縁部に下ステージ１８が設けられている。
【００２４】
表示部１６は液晶によって構成され、種々の画像が表示される。すなわち、始動入賞口１１に遊技球Ｂが入賞すると、表示部１６における表示が所定の時間の間変動表示され、その後、最終的な図柄が静止表示される。
【００２５】
表示部１６に静止表示された図柄には「当たり」と「外れ」があり、「当たり」の場合（例えば「７７７」）には、大入賞口１２が所定の回数開くようにされている。例えば、１６回開き、１回当たり１０個の遊技球が入るまで開いたままとなる。そして、１個の遊技球の入賞に対して、１５個の遊技球が賞品球として賞品球払い出し装置から払い出される。
【００２６】
上ステージ１７は、遊技球Ｂが転動でき横方向に伸びる上ステージ通路部１９と、上ステージ１７の前面に複数（ここでは４個）の突起部２０ａ〜２０ｄを備えており（図２（ｂ）及び図３参照）、流下してきた遊技球Ｂを上ステージ通路部１９上で転動させ、突起部２０ａ〜２０ｄに遊技球Ｂが衝突することによって遊技球Ｂの流下方向を変化させる。
【００２７】
また、上ステージ１７の前面中央に備えられた突起部２０ｃと突起部２０ｄの間に流下した遊技球Ｂは、センター役物１０の下方に設けられた始動入賞口１１に入球し得る。上記のように始動入賞口１１に遊技球Ｂが入球した場合には、表示部１６が変動表示し始める。
【００２８】
さらに、上ステージ通路部１９の右側には、後述するガイド部２１の遊技球出口部２２を塞ぐように板部材としての後述する戻り防止板２３が設けられている。この戻り防止板２３は上ステージ１７の表面の一部を構成し、戻り防止板２３上を通過した遊技球Ｂは上ステージ通路部１９に導かれる。
【００２９】
ここで、戻り防止板２３は、遊技球出口部２２に遊技球Ｂが入球することを防ぐことができれば、遊技球出口部２２を上から見て遊技球出口部２２を全て塞ぐように設けてもよいし、遊技球出口部２２と戻り防止板２３との間に隙間が生じるように設けてもよい。
【００３０】
下ステージ１８は、センター役物１０の周縁部に沿って伸び、中央から左右方向へ向かうにつれて徐々に高くなっており、遊技球Ｂが転動できるようになっている。また、センター役物１０の左端中段部には、遊技球Ｂが通過可能な誘導部２４が鉛直方向に設けられ、この誘導部２４の出口２５と下ステージ通路部２６とは連通している。誘導部２４上方に遊技球入口部３７が設けてある。
【００３１】
下ステージ１８の右側奥部には、遊技球Ｂが通過可能な遊技球通路２１ａを備えるガイド部２１が設けられている。このガイド部２１は、下ステージ通路部２６と連通し、右方向へ向かうにつれて急な上方へ傾斜した壁面を備えている。そして、斜面末端部には上ステージ１７へと通じる遊技球出口部２２が設けられている。なお、誘導部２４及び遊技球入口部３７のの位置はガイド部２１より高い位置に設定してある。
【００３２】
下ステージ１８での遊技球Ｂの動きを遊技者に視認し難く又は不可能とさせるため、下ステージ１８の前面を覆う板状の覆い部材２７を設けている。この覆い部材２７は、下ステージ１８の一部に設けるようにしているが、ガイド部２１を通過する遊技球Ｂの動きを遊技者が視認できないように光不透過性材質で構成されているので、誘導部２４に入球した遊技球Ｂの行く先を遊技者が明確には把握できず、センター役物１０内の反対側に位置する遊技球出口部２２からいきなり遊技球Ｂがジャンプするように見え、遊技者を驚かせることによって遊技の興趣を向上させることができる。なお、上記のように遊技球出口部２２には、戻り防止板２３が設けられている。
【００３３】
次に、遊技球出口部２２に設けられた金属製の戻り防止板２３について図４を用いて説明する。図４（ａ）に示すように、戻り防止板２３は、遊技球出口部２２を塞ぐ本体部２８と、上ステージ１７に接続される接続部２９とから構成されている。なお、戻り防止板２３の材質は特に限定されず、合成樹脂等であってもよい。
【００３４】
戻り防止板２３は方形の平板で、本体部２８の長手方向の長さＬは遊技球出口部２２の長手方向の長さＭよりも若干長く（図４（ｂ）参照）、本体部２８の短手方向の長さＷは遊技球出口部２２の短手方向の長さＮよりも若干短く設定されている（図２（ｂ）参照）。
【００３５】
本体部２８は、遊技球Ｂが遊技球出口部２２からガイド部２１に戻ることを防ぐことができれば、方形の平板以外の形状であってもよく、さらに本体部２８の長手方向の長さＬ及び短手方向の長さＷも上記のものに限定されない。また、接続部２９はＬ字型の段部の形状となっており、上ステージ１７の差込孔３４に係合されている（図４（ｂ）参照）。さらに戻り防止板２３の本体部２８は上ステージ１７の中央部に向かって下方へ傾斜している。
【００３６】
また、本体部２８の先端部２８ａは、遊技球出口部２２外側末端にある段部３５に配置され、さらに接続部２９と連結される本体部２８の付け根部２８ｂは、遊技球出口部２２内側末端の支持部３６によって支持されている。これにより、上方から落下して戻り防止板２３に衝突した遊技球Ｂが、遊技球出口部２２に戻らないように阻止している。
【００３７】
上記センター役物１０の構成によるその動作及び作用を説明する。遊技盤７の面上を流下して遊技球入口部３７に入球した遊技球Ｂは、誘導部２４内を落下して加速しながら下ステージ通路部２６の最下点まで流下し、その運動エネルギーを利用して上方に向かって上昇するように傾斜した下ステージ通路部２６後半部を上る。勾配の大きくなるガイド部２１を上って、遊技球出口部２２に設けられた戻り防止板２３に下方から衝突する（図２（ａ）、図５（ａ）矢印参照）。
【００３８】
遊技球Ｂが戻り防止板２３に下方から衝突すると（図５（ａ）参照）、遊技球Ｂは戻り防止板２３の本体部２８を押し上げて、差込孔３４付近を回動中心として反時計方向（左回り）に戻り防止板２３を回動させ（図５（ｂ）参照）、戻り防止板２３の上方へ飛び出す（図５（ｃ）参照）。このとき、接続部２９が上ステージ１７の差込孔３４に係合されているため、戻り防止板２３の本体部２８は、遊技球Ｂに反時計方向に回動された後、その反動で衝突前の位置に戻る（図６（ａ）参照）。
【００３９】
その後、ガイド部２１の外部上方へ飛び出した遊技球Ｂは自重で落下して戻り防止板２３に上方から衝突する（図６（ｂ）参照）。このとき、戻り防止板２３は、上記のように先端部２８ａが段部３５に配置され、さらに付け根部２８ｂが支持部３６によって支持されている。そのため、遊技球Ｂの上方からの衝突により本体部２８が時計方向（右回り）に回動することはない。これにより、遊技球Ｂが遊技球出口部２２に戻ることを防止する。
【００４０】
戻り防止板２３に衝突した遊技球Ｂは、戻り防止板２３の本体部２８上を転動して上ステージ１７上を流下する。流下した遊技球Ｂは上ステージ１７中央部付近で転動した後、下方に落下し、始動入賞口１１に入賞することがある。
【００４１】
以上、実施形態１においては、遊技球出口部２２に、回動自在な戻り防止板２３を設け、ガイド部２１に沿って誘導され戻り防止板２３下方から戻り防止板２３に衝突する遊技球Ｂに対しては戻り防止板２３が上方に回動可能となり、戻り防止板２３上方から戻り防止板２３に衝突する遊技球Ｂに対しては戻り防止板２３が下方に回動不可能となる構成としたため、センター役物１０内での遊技球Ｂの挙動に興趣溢れる変化を与えることができ、遊技者を飽きさせず、遊技の興趣を増大させることができる。
【００４２】
下ステージ１８を遊技者が視認し難くなるように覆い部材２７で覆う構成としたため、下ステージ１８を移動している遊技球Ｂの動きを遊技者が視認し難くなり、ガイド部２１からの遊技球Ｂの突如の飛び出しによって遊技者に驚きを与えることができる。
【００４３】
遊技球入口部３７と遊技球出口部２２をセンター役物１０内において反対位置に配置しているため、遊技球入口部３７に遊技球Ｂが入球したにもかかわらず、あたかもセンター役物１０内の反対側に遊技球Ｂが入球して飛び出してくるように見え、遊技の興趣を向上させることができる。
【００４４】
逆に、センター役物１０から覆い部材２７を除去したものとすれば、上ステージ１７及び下ステージ１８における遊技球Ｂの動きを遊技者により楽しませることができ、上ステージ１７及び下ステージ１８の興趣を増大させることができる。
【００４５】
（実施形態２）
次に実施形態２のパチンコ遊技機について図７を参照して説明する。この実施形態２は、実施形態１の図４〜図６に代えて図７及び図８に示すものを用いる。実施形態１と共通する構成要素に対応する本実施形態の構成要素の説明は、図中の符号を１００番台として説明を適宜援用し、主に相違点を説明する。
【００４６】
上記実施形態１では、Ｌ字型の接続部２９を上ステージ１７の差込孔３４に係合することにより戻り防止板２３が回動可能となる構成としている。それに対して、実施形態２では、戻り防止板１２３をピン１５２で軸支することにより回動可能となる構成としているほかは実施形態１と同様の構成であるので、部品番号を１００番台として説明は援用する。図７（ａ）に示すように、金属製の戻り防止板１２３は、遊技球出口部１２２を塞ぐ板状の本体部１２８と、途中で下方に湾曲又は折り曲げられており上ステージ１１７内のスペース１６０に配置される係止部１２９と、を有している。また、上テージ１１７の嵌合穴１５１に差し込むピン１５２が備えられ、本体部１２８と係止部１２９の接続部１３９付近をピン１５２で軸支するようになっている。
【００４７】
また、実施形態１と同様に、本体部１２８は方形の平板で、短手方向の長さは遊技球出口部の短手方向の長さよりも若干短くなっている。ここで、本体部１２８は、遊技球出口部１２２に遊技球Ｂが入球することを防ぐことができれば、方形の平板以外の形状であってもよい。また、本体部１２８の長手方向の長さＰは、遊技球出口部１２２の長手方向の長さＱよりも長く設けられている（図７（ｂ）参照）。
【００４８】
実施形態２の動作を説明する。まず、ガイド部１２１内に誘導された遊技球Ｂが下方から本体部１２８に衝突すると、戻り防止板１２３を跳ね上げられて、ピン１５２の回りを反時計方向に回動し、遊技球Ｂはガイド部１２１の外部上方へ飛び出す。上方に飛び出した遊技球Ｂは、その後に落下して戻り防止板１２３に衝突するが、戻り防止板１２３により遊技球Ｂが遊技球出口部１２２へ戻ることを阻止するので、遊技球Ｂは上ステージ１１７上を流下する（図８参照）。
【００４９】
以上、実施形態２においては、遊技球出口部１２２を本体部１２８で塞ぐよう、戻り防止板１２３をピン１５２で軸支し回動自在としている。したがって、遊技球Ｂが本体部１２８に下方から衝突すると、戻り防止板１２３が反時計方向に回動し、遊技球Ｂが戻り防止板１２３の上方に飛び出し、戻り防止板１２３が時計方向に回動して元の位置に戻り、下方に回動不可能となるので、戻り防止板１２３の回動が円滑になり耐久性が向上するほか、実施形態１と同様の効果がある。
【図面の簡単な説明】
【００５０】
【図１】本発明を採用したパチンコ遊技機１を示す正面図である。
【図２】（ａ）は実施形態１に係るセンター役物１０の中段部および下段部の正面図、（ｂ）は実施形態１に係る上ステージ１７及び下ステージ１８の平面図である。
【図３】実施形態１に係るセンター役物１０の中段部および下段部の斜視図である。
【図４】（ａ）は実施形態１に係る戻り防止板２３（板部材）の斜視図、（ｂ）は実施形態１に係る遊技球出口部２２に設けられた戻り防止板２３（板部材）等の配置を示す模式図である。
【図５】（ａ）〜（ｃ）は遊技球Ｂが戻り防止板２３（板部材）に衝突してガイド部２１から流出する過程を示す図である。
【図６】（ａ）（ｂ）は、ガイド部２１から流出した遊技球Ｂが戻り防止板２３（板部材）に衝突して上ステージ１７を流下する過程を示す図である。
【図７】（ａ）は実施形態２に係る戻り防止板１２３（板部材）の斜視図、（ｂ）は実施形態２に係る遊技球出口部１２２に設けられた戻り防止板１２３（板部材）等の配置を示す模式図である。
【図８】（ａ）〜（ｃ）は実施形態２に係る戻り防止板１２３（板部材）の動作を示す模式図である。
【符号の説明】
【００５１】
１・・・パチンコ遊技機 ２・・・前面枠  ４・・・操作ハンドル 
７・・・遊技盤 １０・・・センター役物  １１・・・始動入賞口
１２・・・大入賞口  １５・・・遊技領域 １６・・・表示部
１７・・・上ステージ １８・・・下ステージ  ２１・・・ガイド部
２２・・・遊技球出口部  ２３・・・戻り防止板（板部材）  ２７・・・覆い部材
３５・・・段部 ３６・・・支持部
【図１】
2006305050.tif 000003
【図２】
2006305050.tif 000004
【図３】
2006305050.tif 000005
【図４】
2006305050.tif 000006
【図５】
2006305050.tif 000007
【図６】
2006305050.tif 000008
【図７】
2006305050.tif 000009
【図８】
2006305050.tif 000010